(57)【要約】【課題】コンセントタップのコンセント本体背面と既設コンセントの前面との間に塵埃が入らないようにしてトラッキングの発生を防止することができ、また、コンセントタップが既設コンセントのように見えるので見栄えが向上するコンセントタップを提供する。【解決手段】コンセント本体２の背面にプラグ刃３，３を設けるとともに、コンセント本体２の前面にプラグ差込口４，４を設けたコンセントタップにおいて、壁面６に設けられた既設コンセント７のプラグ差込口７ｂ，７ｂにコンセント本体２のプラグ刃３，３を差込接続した状態で、背面開口した箱状体の前面にコンセント本体２の前面を臨ませる開口部５ａを形成したカバー５を、コンセント本体２の前面が開口部５ａを挿通するようにして背面開口端縁が壁面６に当接するまで嵌め込み、前面既設コンセント７とコンセント本体２とを被覆する。【選択図】図１
2008305681.tif 000002
【特許請求の範囲】
【請求項１】
コンセント本体の背面にプラグ刃を設けるとともに、前記コンセント本体の前面にプラグ差込口を設けたコンセントタップにおいて、壁面に設けられた既設コンセントのプラグ差込口に前記コンセント本体の前記プラグ刃を差込接続した状態で、背面開口した箱状体の前面に前記コンセント本体の前面を臨ませる開口部を形成したカバーを、前記コンセント本体の前面が前記開口部を挿通するようにして背面開口端縁が壁面に当接するまで嵌め込み、前面前記既設コンセントと前記コンセント本体とを被覆することを特徴とするコンセントタップ。
【請求項２】
前記カバーの開口部周縁の適宜箇所に係止爪部を形成するとともに、前記コンセント本体に前記係止爪部と対向する係止溝部を形成し、該コンセント本体の係止溝部に前記カバーの係止爪部が係止して前記カバーを前記コンセント本体に固定するようにしたことを特徴とする請求項１に記載のコンセントタップ。
【請求項３】
前記コンセント本体の係止溝部を前記カバーの嵌め込み方向に複数形成したことを特徴とする請求項２に記載のコンセントタップ。
【請求項４】
前記コンセント本体の左右側面に前記係止溝部を形成して着脱用滑り止めとしたことを特徴とする請求項３に記載のコンセントタップ。
【発明の詳細な説明】
【技術分野】
【０００１】
本発明は、壁面に設けられた既設のコンセントに接続して用いられるコンセントタップに関する。
【背景技術】
【０００２】
一般にコンセントタップは略直方体状のコンセント本体の背面にプラグ刃が設けられるとともに、前面にプラグ差込口が設けられた構造になっており、既設のコンセントのプラグ差込口にコンセント本体のプラグ刃を差し込んで接続して使用されている（例えば、特許文献１参照。）。
【０００３】
【特許文献１】特開２００６−３１８８８１号公報
【発明の開示】
【発明が解決しようとする課題】
【０００４】
コンセントタップを壁面に設けられた既設のコンセントに接続した場合、従来のコンセントタップはコンセント本体の背面と既設コンセントの前面との間に生じる隙間に塵埃が堆積してトラッキングが発生する虞があり、また、既設コンセントとの一体感がないので見栄えが悪いという欠点があった。
【課題を解決するための手段】
【０００５】
本発明は、請求項１に記載の発明によれば、コンセント本体の背面にプラグ刃を設けるとともに、コンセント本体の前面にプラグ差込口を設けたコンセントタップにおいて、壁面に設けられた既設コンセントのプラグ差込口にコンセント本体のプラグ刃を差込接続した状態で、背面開口した箱状体の前面にコンセント本体の前面を臨ませる開口部を形成したカバーを、コンセント本体の前面が開口部を挿通するようにして背面開口端縁が壁面に当接するまで嵌め込み、前面既設コンセントとコンセント本体とを被覆することを特徴とする。
【０００６】
請求項２に記載の発明によれば、請求項１に記載のコンセントタップにおいて、カバーの開口部周縁の適宜箇所に係止爪部を形成するとともに、コンセント本体に係止爪部と対向する係止溝部を形成し、コンセント本体の係止溝部にカバーの係止爪部が係止してカバーをコンセント本体に固定するようにしたことを特徴とする。
【０００７】
請求項３に記載の発明によれば、請求項２に記載のコンセントタップにおいて、コンセント本体の係止溝部をカバーの嵌め込み方向に複数形成したことを特徴とする。
【０００８】
請求項４に記載の発明によれば、請求項３に記載のコンセントタップにおいて、コンセント本体の左右側面に係止溝部を形成して着脱用滑り止めとしたことを特徴とする。
【発明の効果】
【０００９】
請求項１に記載の発明によれば、コンセントタップのコンセント本体背面と既設コンセントの前面との間に塵埃が入らないようにしてトラッキングの発生を防止することができ、また、コンセントタップが既設コンセントのように見えるので見栄えが向上するという効果がある。
【００１０】
請求項２に記載の発明によれば、請求項１に記載の発明の効果に加えて、コンセント本体にカバーを簡単に装着できるという効果がある。
【００１１】
請求項３に記載の発明によれば、請求項２に記載の発明の効果に加えて、既設コンセントの壁面からの突出寸法に対応させてカバーの背面端縁を壁面に密着させることができるという効果がある。
【００１２】
請求項４に記載の発明によれば、請求項３に記載の発明の効果に加えて、コンセントタップ単体で使う場合に外観を損なわないという効果がある。
【発明を実施するための最良の形態】
【００１３】
コンセント本体の背面にプラグ刃を設けるとともに、コンセント本体の前面にプラグ差込口を設けたコンセントタップにおいて、壁面に設けられた既設コンセントのプラグ差込口にコンセント本体のプラグ刃を差込接続した状態で、背面開口した箱状体の前面にコンセント本体の前面を臨ませる開口部を形成したカバーを、コンセント本体の前面が開口部を挿通するようにして背面開口端縁が壁面に当接するまで嵌め込み、前面既設コンセントとコンセント本体とを被覆する。
【実施例１】
【００１４】
本発明に係るコンセントタップの実施例１を図１〜図３の添付図面に基づいて説明する。
【００１５】
コンセントタップ１は略直方体状に形成されたコンセント本体２の背面に１組のプラグ刃３，３が設けられ、コンセント本体２の前面に２組のプラグ差込口４，４、４，４が設けられている。
【００１６】
また、カバー５は建物の壁面６に既設された埋込型のコンセント７の化粧枠７ａより大きい寸法に箱状体の背面を開口し、前面にコンセント本体２の前面を臨ませる開口部５ａが形成され、前面開口部５ａ周縁の左右２箇所ずつに背面方向に係止爪部５ｂが突設されている。コンセントタップ１には係止爪部５ｂと対向する係止溝部８が形成されている。
【００１７】
カバー５はコンセントタップ１を建物の壁面６に既設された埋込型のコンセント７のプラグ差込口７ｂ，７ｂにコンセント本体２のプラグ刃３，３を差込接続した状態で、コンセント本体２の前面に前面開口部５ａが挿通するようにして背面開口端縁が壁面６に当接するまで嵌め込む。カバー５の背面開口端縁が壁面に当接したところで、カバー５の係止爪部５ｂはコンセント本体２の係止溝部８に係止して固定される。
【００１８】
カバー５をコンセントタップ１から取り外すには、カバー５を手前に引いてコンセントタップ１ごと既設のコンセント７から抜き取り、カバー５の前面開口部５ａにコンセントタップ１を背面側から押し出すことで前面側にコンセントタップ１が抜けるのでカバー５とコンセントタップ１を分離することができる。
【００１９】
尚、本実施例においてコンセントタップ１のコンセント本体２の形状を略直方体状としたが、例えば、図４に示すように正面視略長円状にコンセント本体２を形成したり、正面視略三角状に形成するなど、略直方体状でなくても何ら問題なく、このときのカバーはコンセントタップの前面形状に合わせて前面開口部を形成すれば良い。
【実施例２】
【００２０】
本発明に係るコンセントタップの実施例２を図５〜図６の添付図面に基づいて説明する。尚、実施例１と同一部分は同一符号を付して説明を省略する。
【００２１】
本実施例ではコンセントタップ１のコンセント本体２の左右側面の長手方向中間部に係止溝部１８をカバー５の嵌め込み方向に複数形成して着脱用滑り止め部を形成している点が実施例１と異なっている。これにより、カバー５の取り付け時に様々な既設コンセント７の壁面６からの突出寸法に対応させてカバー５の背面端縁を壁面６に密着させて取り付けることができる。また、コンセントタップ１を単体で使う場合、コンセントタップ１をコンセント７に抜き差しする際に係止溝部１８がコンセント本体２を手で掴むときの着脱用滑り止め部となるために外観を損なうことがない。
【図面の簡単な説明】
【００２２】
【図１】本発明の実施例１に係るコンセントタップをコンセントに取り付ける様子を示す斜視図である。
【図２】本発明の実施例１に係るコンセントタップをコンセントに取り付けた状態の横断面図である。
【図３】本発明の実施例１に係るコンセントタップをコンセントに取り付けた状態を示す斜視図である。
【図４】本発明のコンセントタップの変形実施例を示す斜視図である。
【図５】本発明の実施例２に係るコンセントタップをコンセントに取り付ける様子を示す斜視図である。
【図６】本発明の実施例２に係るコンセントタップをコンセントに取り付けた状態の横断面図である。
【図７】本発明の実施例２に係るコンセントタップをコンセントに取り付けた状態を示す斜視図である。
【符号の説明】
【００２３】
１    コンセントタップ
２    コンセント本体
３    プラグ刃
４    プラグ差込口
５    カバー
５ａ    開口部
５ｂ    係止爪部
６    壁面
７    埋め込み型コンセント
７ａ    化粧枠
７ｂ    プラグ差込口
８    係止溝部
【図１】
2008305681.tif 000003
【図２】
2008305681.tif 000004
【図３】
2008305681.tif 000005
【図４】
2008305681.tif 000006
【図５】
2008305681.tif 000007
【図６】
2008305681.tif 000008
【図７】
2008305681.tif 000009